(57)【要約】本発明は１つの要旨において電気計器または計測型機器を納めるためのモジュールハウジング（１６）を提供する。このハウジングは複数のモジュール型電気計器または計測機器（読取可能なディスプレイを有するまたは有さない機器を含む）の１つを収容するように構成される。ハウジングは、機器または機器部品を受容するための少なくとも１つの開口端と、この開口端を閉鎖するための交換可能な閉鎖部材（２６）とを含む。閉鎖部材はハウジングの開口端と相互係合するための第１の接合手段と、例えば壁またはコネクタレール（好ましくはＤＩＮレール）などの面に機器を取付けるための第２の接合手段とを有する。このハウジングは面、パネルおよびレール取付けされる同様の型の機器に使用できる。
2005521057.tif 000002
【特許請求の範囲】
【請求項１】
電気計器または計測型機器を納めるためのモジュールハウジングであって、該ハウジングは読取可能なディスプレイを有するまたは有さない機器を含む複数のモジュール型電気計器または計測機器の１つを収容するように構成され、ハウジングは該機器の１つをハウジング内に受容するための少なくとも１つの開口端と、交換可能な端部閉鎖部材との接続のための接続手段とを含み、閉鎖部材は、第１の構成においては読取可能なディスプレイのための透明なディスプレイパネルを含み、第２の構成においては該機器を面またはコネクタレールに取付けるための取付板を含む、ハウジング。
【請求項２】
前記接続手段は前記交換可能な閉鎖部材を前記ハウジングに固定できる咬合係合手段を含む、請求項１に記載のハウジング。
【請求項３】
前記接続手段は咬合弾性クリップアレンジメントの一部分を含む、請求項１に記載のハウジング。
【請求項４】
請求項１〜３のいずれかに記載のハウジングを含む電気計器または計測機器。
【請求項５】
請求項１〜３のいずれかに記載のハウジングを含む電気計器または計測機器であって、該機器はアナログまたはデジタルの電流計、電圧計、電力計、バリメータ、キロワット時計を含む電気エネルギー使用量計、電子メータ継電器、相順メータを含み、および読取可能なディスプレイまたは該機器の遠隔読取のための通信リンクを有する、電気計器または計測機器。
【請求項６】
電気計器または計測型機器を納めるためのモジュールハウジングであって、該ハウジングは読取可能なディスプレイを有するまたは有さない機器を含む複数のモジュール型電気計器または計測機器の１つを収容するように構成され、ハウジングは該機器の１つをハウジング内に受容するための少なくとも１つの開口端と、該開口端を閉鎖するための交換可能な閉鎖部材とを含み、閉鎖部材は、該開口端と相互係合するための第１の接続手段と、該機器を面またはコネクタレールに取付けるための第２の接続手段とを有する、ハウジング。
【請求項７】
前記第２の接続手段はＤＩＮレールコネクタを含む、請求項６に記載のハウジング。
【請求項８】
前記接続手段はＤＩＮレールの一部分と係合するための細長い溝と、前記ハウジングをＤＩＮレールに解放可能にラッチするためのラッチ手段とを含む、請求項７に記載のハウジング。
【請求項９】
前記第２の接続手段は前記閉鎖部材を、機器を取付けるべき面に直接的に、または該面へ間接的に取付けるための面取付板に固定するための締結手段を含む、請求項６に記載のハウジング。
【請求項１０】
電気計器または計測型機器のモジュールハウジングを取付けるための取付部材であって、該ハウジングは読取可能なディスプレイを有するまたは有さない機器を含む複数のモジュール型電気計器または計測機器の１つを収容するように構成され、該取付部材は該ハウジングの開口端を閉鎖するように構成され、および該開口端と相互係合するための第１の接続手段と、該機器を面またはコネクタレールに取付けるための第２の接続手段とを有する、取付部材。
【請求項１１】
前記第２の接続手段はＤＩＮレールコネクタを含む、請求項１０に記載の取付部材。
【請求項１２】
前記接続手段はＤＩＮレールの一部分と係合するための細長い溝と、前記ハウジングをＤＩＮレールに解放可能にラッチするためのラッチ手段とを含む、請求項１１に記載の取付部材。
【請求項１３】
前記第２の接続手段は前記閉鎖部材を、機器を取付けるべき面に直接的に、または該面へ間接的に取付けるための面取付板に固定するための締結手段を含む、請求項１０に記載の取付部材。
【請求項１４】
前記第１の接続手段は前記閉鎖部材をハウジングの前記開口端に固定する咬合弾性クリップアレンジメントの一部分を含む、請求項１０〜１３のいずれかに記載の取付部材。
【請求項１５】
前記第１の接続手段は閉鎖部材の一方側に配置され、および第２の接続手段はその反対側に配置される、請求項１０〜１４のいずれかに記載の取付部材。
【請求項１６】
ＤＩＮレール接続手段および面取付接続手段の双方を含む、請求項１０〜１５のいずれかに記載の取付部材。
【請求項１７】
閉鎖部材は端板を含む、請求項１０〜１６のいずれかに記載の取付部材。
【請求項１８】
実質的に明細書中に、および／または添付の図面を参照して説明されるようなモジュールハウジング。
【請求項１９】
実質的に明細書中に、および／または添付の図面を参照して説明されるような取付部材。
【請求項２０】
実質的に明細書中に、および／または添付の図面を参照して説明されるような電気計器または計測機器。
【発明の詳細な説明】
【発明の詳細な説明】
【０００１】
本発明は電気計器または計測型機器のためのモジュール（またはモジュール式もしくはモジュラー）ハウジングに関し、電気機器にはそのための相応のハウジングおよび取付部材が含まれる。本発明は特に、複数のモジュール型電気計器または計測機器の１つを収容するように構成される機器ハウジングに関する。
【０００２】
電気計器または計測機器は、通常、計器または計測機器の示度をアナログまたはデジタル形態のいずれかで表示でき、機器を使用している装置のユーザがモニター、記録または他の目的のために示度を読取ることができるように、ディスプレイパネルを備えている。多くの計器または計測型機器はパネル取付され、すなわち、機器の一端にあるディスプレイパネルが、幾つかの機器を取付け得るパネルに存する相当寸法の開口部に取付けられる。パネル取付のアレンジメント（または装置もしくは構成）において、ディスプレイパネルはパネル面と実質的に同一面上に取付けられており、機器の本体はパネルの後方に隠されてユーザから見えないところにある。機器は典型的には片持梁型式で取付けられており、機器は開口部内で支持され、および様々な方法でパネルに固定される。
【０００３】
機器から１００メートル以下またはそれ以上離れた場所にある管理センターに配置され得る遠隔プロセッサによって遠隔読取可能な電気計器または計測型機器に対する需要が増大している。この種の用途のための機器は、費用（または原価）節約を可能ならしめるため、または通信インターフェースおよび導入ケーブル敷設の追加費用を埋め合わせるために、読取可能なディスプレイユニット無しで設計できる。一般的には、ディスプレイスクリーンを有さない電気計器または計測型機器は、パネル取付けされるディスプレイ付き機器とは異なった方法で取付けられる。ディスプレイ無しの機器は、通常は、壁取付を含む面取付またはキャビネットにあるＤＩＮレールに取付けられるかのいずれかである。
【０００４】
これまで、ディスプレイを要する場合のパネル取付の用途のため、およびディスプレイを通信インターフェースで置換できる場合の面取付またはレール取付の用途のために、別々の範囲の電気計器または計測型機器を設計および開発することが機器製造のために必要であった。このため、電気機器の設計は、関係している取付方法のそれぞれに対して著しく異なり、共用部品が殆どないものとなった。説明した異なる取付方法の結果、機器の基本寸法は用いる取付方法によって決まるため、しばしば、ごくわずかの部品しか共用できない。例えば、パネル取付けされる機器は標準的なパネル開口部（例えばある特定の規格では９２ｍｍ×９２ｍｍ）に適合するように標準的な形状および寸法に準拠しなければならない。これにより、機器のためのハウジングは寸法および形状が異なり、このため、ＰＣＢのような共通の電子部品を使用することが妨げられる。ＰＣＢは同じディスクリート電気部品を含んでいてよいが、機器の寸法および形状によってこれら部品のＰＣＢ上への組み立てが決まり、そしてこれは各取付方法により通常異なるものである。このことは、より少量の生産が規模の利益を阻害し得るため、機器の費用（または原価）に対して大きな影響を与え得る。
【０００５】
本発明の１つの要旨によれば、電気計器または計測型機器を納めるためのモジュールハウジングであって、このハウジングは複数のモジュール型電気計器または計測機器（読取可能なディスプレイを有するまたは有さない機器を含む）の１つを収容するように構成され、ハウジングはこの機器の１つをハウジング内に受容するための少なくとも１つの開口端と、交換可能な端部閉鎖（またはクロージャ）部材との接続のための接続手段とを含み、この閉鎖部材は、第１の構成においては読取可能なディスプレイのための透明なディスプレイパネルを含み、そして第２の構成においてはこの機器を面またはコネクタレールに対して取付けるための取付板を含むハウジングが提供される。
【０００６】
本発明のこの要旨によるモジュールハウジングは、読取可能なディスプレイを有するまたは有さない、パネル取付けされた、レール取付けされた、および面取付けされた機器を含む一連の機器に対して単一のハウジングを使用することを容易に可能にする。これにより、ハウジングおよび例えばＰＣＢなどの他の電気部品を含む部品を一連の機器に亘って共用することが可能となるので、製造原価およびその他の関連する製造費用を著しく低減することができる。このような機器の設計および製造についてのモジュール式手法は、ある機器の９０％の部品を一連の製品に亘って共用化できる。例えば、パネル取付機器のディスプレイスクリーンを、面またはコネクタレールに機器を直接的または間接的に取付けるための取付板を含む交換可能な端部閉鎖部材で置換することによって、残りの部品を面取付、レール取付およびパネル取付の用途に対して共有することができる。このことは、共用部品のために生産量の増加を実現できるので、費用を著しく節約することができる。本発明のこの要旨によるモジュールハウジングは一連のモジュール機器を提供し、そしてこれは製造費用の点だけでなく、予備部品の在庫、一連のモジュール製品の保守、および従って顧客または最終消費者のより大きな満足の点からも有利である。また、モジュールハウジングにより、共通のハウジングを共用しているある範囲の機器に対して基本外形寸法の間に共通性を持たせることもできる。このことは、一連の機器のうちの各々の機器が同じ大きさの空間を占めることになるので、制限されたキャビネット空間を最大限に活かせるという利点がある。またこのことは、キャビネット内の多数の機器の設置を再構成（rearrangement）することなく、１つの機器を別のものと交換できるという利点もある。
【０００７】
好ましくは、上記接続手段は、上記交換可能な閉鎖部材を上記ハウジングに固定できる咬合係合（interlocking engagement）手段を含む。接続手段のこの咬合係合手段により、ハウジングを開口端にて閉鎖するように（別の方法では、この開口端はパネル取付の用途において透明なディスプレイパネルで閉鎖される）閉鎖部材をモジュールハウジングに固定することが容易に可能となる。このようにして、接続手段により、簡単で費用効率のよい方法でモジュールハウジングを閉鎖することが容易に可能となる。
【０００８】
好ましい態様においては、上記接続手段は咬合弾性クリップアレンジメントの一部分（または部品）を含む。クリップは、ハウジングを閉鎖するためのスナップフィット結合を提供でき、およびこれに加えてまたはこれに代えて、閉鎖部材を保守またはその他の目的のために取り除けるようにクリップアレンジメントの相互係合（inter engagement）を解放するための解放手段を備え得る。
【０００９】
本発明のもう１つの要旨によれば、本発明の上述の要旨によるハウジングを含む電気計器または計測機器もまた提供される。この機器は、例えば、アナログまたはデジタル型の電流計、電圧計、電力計、バリメータ（varimeter）、キロワット時計（kilowatt hour meter）などを含む電気エネルギー使用量計、電子メータ継電器、相順メータを含むことが理解されよう。また、本発明のこの要旨は、読取可能なディスプレイおよび／または機器の遠隔読取のための通信リンクへ接続するための通信インターフェースを有する電気機器を包含する。電気機器は任意の計器（またはメータ）あるいは測定、モニター、記録または電気パラメータ値に対して応答する計測型機器を含み得る。
【００１０】
本発明の更なる要旨によれば、電気計器または計測型機器を納めるためのモジュールハウジングであって、このハウジングは複数のモジュール型電気計器または計測機器（読取可能なディスプレイを有するまたは有さない機器を含む）の１つを収容するように構成され、ハウジングはこの機器の１つをハウジング内に受容するための少なくとも１つの開口端と、この開口端を閉鎖するための交換可能な閉鎖部材とを含み、閉鎖部材は、該開口端とインター係合するための第１の接続手段と、この機器を面またはコネクタレールに取付けるための第２の接続手段とを有するハウジングが提供される。
【００１１】
好ましくは、上記第２の接続手段はＤＩＮレールコネクタを含む。ＤＩＮレールコネクタにより、ハウジングおよびその内部に入れられる機器を、電気機器または計測型機器をキャビネットなどの内部に取付けるために一般的に用いられるような標準的なＤＩＮレールに取付けることができる。これに関連して、閉鎖部材は、機器を収容するモジュールハウジングを閉鎖するだけでなく、ハウジングをＤＩＮレールに取付けるための手段をも提供する取付部材または取付板を構成する。このことは、機器の収容のための取付を閉鎖部材に容易に組み入れることができるので、取付形式によって特有の部品の数を最小限にすることができる。この点において、パネル取付機器の全ての部品（ディスプレイおよびディスプレイ電子機器を除く）はディスプレイパネルを、ＤＩＮレールコネクタを有する閉鎖部材の形態の交換可能な端板で置換することによってＤＩＮレール取付機器に使用できることが理解されよう。
【００１２】
好ましくは、上記接続手段はＤＩＮレールの一部分と係合するための細長い溝と、上記ハウジングをＤＩＮレールに解放可能に接続するためのラッチ手段とを含む。この溝により、ＤＩＮレールに取付けているときに、ハウジングを機器の一方側から他方側までの幅に沿って支持することが容易にでき、この取付けは機器をＤＩＮレールコネクタから片持にしてよく、および従って、溝によりハウジングおよび機器の重量をより広い領域にて支持させることが容易に可能となる。ラッチ手段により、機器を簡単に設置でき、および設置後に確実な接続を形成しながらもレールから取り外せるように、ハウジングおよび機器をＤＩＮレールコネクタに対して解放可能に接続することが容易に可能となる。
【００１３】
もう１つの態様において、上記第２の接続手段は上記閉鎖部材を、機器を取付けるべき面に直接的に、またはこの面へ間接的に取付けるための面取付板に固定するための締結（または固定）手段を含む。このようにして、閉鎖部材は、壁などの面にハウジングを直接的に取付けるため、または中間取付板を用いて面に閉鎖部材を取付けるかのいずれかによる面取付手段を備える。中間取付板を用いる場合、例えば面取付端板に閉鎖部材を固定するための更なる取付手段を設けることによる面取付と同様の閉鎖部材をＤＩＮレール取付のために用いてよい。面取付端板を用いる場合、取付板を取付ネジなどを用いてハウジングの周縁部に容易に取付け得るように、取付板は閉鎖部材よりも大きい寸法を有することが好ましい。
【００１４】
本発明の更なる要旨において、電気計器または計測型機器のモジュールハウジングを取付けるための取付部材であって、このハウジングは複数のモジュール型電気計器または計測機器（読取可能なディスプレイを有するまたは有さない機器を含む）の１つを収容するように構成され、この取付部材はこのハウジングの開口端を閉鎖するように構成され、およびこの開口端と相互係合するための第１の接続手段と、この機器を面またはコネクタレールに取付けるための第２の接続手段とを有する取付部材が提供される。従って、本発明のこの要旨による閉鎖部材は、本発明の上述の要旨によるモジュールハウジングの開口端を閉鎖するため、および、面またはコネクタレール（好ましくはＤＩＮレール）のいずれかまたはその双方にハウジングを取付けるために使用することができる。異なる取付方法に適用される異なる閉鎖部材を取付用途の要件に従って使用できるように、閉鎖部材は交換可能であることが理解されよう。
【００１５】
次に、例として本発明の様々な態様を添付の図面を参照しつつより詳細に説明する。
【００１６】
図１を参照して、モジュール型電気計器または計測機器１０は、様々な機器取付形態、例えばパネル取付、面取付およびレール取付の用途に共通する複数の電気部品１２を含む。図１に示す機器はパネル取付に適応し、ＰＣＢに取付けられたＬＣＤ、ＬＥＤまたはプラズマスクリーンディスプレイであり得る読取可能なディスプレイ１４を含む。電気部品１２および１４が正方形断面の矩形（または直方体）ハウジング１６内に納められ、このハウジング１６はその前方端（図１の図面左側）にてガラスまたはパースペクスの透明スクリーン要素１８により閉鎖されており、この要素１８はハウジング１６の周りをその開口端にて囲む凹部２０に配置されている。フレーム要素２２はハウジングとフレームとの間にスクリーン１８を挟む。
【００１７】
ハウジング１６はパネル取付の用途において標準的な寸法を有し、そしてこの特定の例においてハウジングは９２ｍｍ×９２ｍｍの寸法であるが、他の標準的または標準的でないハウジング寸法を用いてよい。
【００１８】
図２を参照し、これは、反対の端部から見たこと以外は図１のものと同様である電気機器を示し、両機器に共通する電気部品１２を図２の図面左側に示し、共通するモジュールハウジング１６を図面右側に示している。このアレンジメントにおいて、ディスプレイ１４、スクリーン１８およびフレーム２２は必要でなく、図１のアレンジメントではスクリーン１８で閉鎖されているハウジングの開口端は全体を２４で示す交換可能な取付パネルで閉鎖されている。図２の機器は、読取可能なディスプレイを有する代わりに、機器によって読取、モニターまたは記録される電気パラメータ（１つまたは複数）が通信リンク（例えば機器内の通信インターフェースカードに接続された電送線路など）を通じて離れた場所（例えば中央制御装置など）に送られることを除き、他の全ての点において図１の機器と同等である。
【００１９】
交換可能な閉鎖部材２４は第１の端板２６を含み、端板２６は、図１でスクリーン１８がハウジングを閉鎖するのと同様にしてハウジングの端部を閉鎖できるようにハウジング１６と実質的に同じ寸法を有する。閉鎖要素２６の面は、この閉鎖部材の面から垂直に突出し、および外周の内側に配置された複数の直立した弾性咬合係合クリップ２８を含み、これは、ハウジング１６の内面にある対応する咬合部分（または部品、図示せず）と係合してハウジングと閉鎖体２６との間で咬合係合を形成するようになっている。
【００２０】
閉鎖部材２６は、ハウジングおよび機器を壁またはその他の同様の面に面取付するか、機器を例えば標準的なＤＩＮレールなどのレールに取付けるかのいずれかのために、そのような機器を電気キャビネットなどに取付けるために一般的に使用されるのと同様に使用できる。
【００２１】
閉鎖体２６をハウジング１６と相互係合させる前に、閉鎖体はボルト、ネジまたはその他の手段を含み得る締結手段３２によって面取付板３０に固定できる。機器１０を面取付する必要がある場合、面取付板３０は閉鎖部材２６の反対側に固定される。
【００２２】
面取付板３０はこれが閉鎖部材２６の周縁部を越えるように、閉鎖部材２６よりも少なくとも１つは大きい寸法を有し、よって、取付板およびこれにより機器１０を面に固定するためにこの突出部にホール３４を形成できるようになっている。
【００２３】
好ましい態様においては閉鎖部材２６および取付板３０は別個の部品であるが、閉鎖部材２６が取付板３０と一体になっており、固定手段３２を要しない態様も本発明に包含される。図２のアレンジメントにおいて、閉鎖部材２６は、機器を標準的なＤＩＮレールに取付けるため、または取付板３０と組合わせて面取付の用途に使用するための双方に使用できる。このことは図４〜６を参照する以下の説明から一層明らかとなるであろう。
【００２４】
図３を参照し、これは、機器を標準的なＤＩＮレール３６に取付ける閉鎖部材２６を有するハウジング１６を備える機器１０を示す。図３の図面右側に示すような閉鎖部材２６の背面には、ＤＩＮレール３６を受容するように閉鎖部材の一方側から他方側に延びる概略Ｕ字形の細長い溝３８が設けられている。図面からわかるように、ＤＩＮ溝はレールの縁部に沿った一対の平行なリップ４０を規定する「トップハット」断面を有する。溝３８の壁の一方には、レール３６を溝内に配置するためのリップ付き縁部４０の１つと係合するための直立した突出部４２が備えられる。溝の他方側には、レール３６の他方のリップ付き縁部と係合するように弾性的にバイアスしたラッチまたは解放（またはリリース）クリップ４４が備えられる。図３に示す係合状態では、取付けているときに機器１０がレールに対して動くことがラッチ４４により妨げられる。
【００２５】
図２および３に表される閉鎖部材２６の反対側またはレール側は図４に最もよく示されており、図４は、溝３８に配置され、およびラッチ４４によってこれに固定されているレール３６を示す。
【００２６】
次に図５を参照し、これは、閉鎖部材２６により閉鎖され、およびネジまたはその他の手段によって壁またはその他の面に取付けるための面取付板３０に固定されるハウジング１６内に組み立てられた機器を示す。
【００２７】
図６を参照し、これは、機器を壁またはその他の面に面取付けするために単一の取付板を用いた一体の閉鎖アレンジメントを有すること以外は図５のものと同様である面取付アレンジメントの側方立面図を示す。このアレンジメントにおいて、閉鎖部材は、図３および４に示したレール取付の特徴を有することなく一体的に形成したこと以外は、閉鎖部材２６と取付板３０との組合せと実質的に同等である。
【００２８】
本発明を添付の図面に示す態様を参照しつつ説明して来たが、本発明はそのような態様そのものに限定されないこと、および様々な変更および改変が更なる創作能力および努力を要することなくなされ得ることが理解されよう。例えば、交換可能な閉鎖および取付部材は、面およびＤＩＮレール取付以外の取付アレンジメントのための取付の特徴を備えていてよい。
【図面の簡単な説明】
【００２９】
【図１】図１は本発明のアレンジメントによるハウジングを有する電気計器または計測型機器の分解斜視図である。
【図２】図２は機器を反対側から見て、ハウジング、ハウジング閉鎖および取付部材を図１のものと反対側に配置したこと以外は図１と同様の分解斜視図である。
【図３】図３は本発明の１つのアレンジメントによる閉鎖部材を備えるハウジングの側方立面図である。
【図４】図４は図２および３に示すハウジング閉鎖部材の、設置した場合にハウジングから最も遠い側における斜視図である。
【図５】図５は本発明の更なるアレンジメントによる閉鎖および取付部材を備える、図３と同様の側方立面図である。
【図６】図６は図５のアレンジメントによる閉鎖および取付部材を有するハウジングに納められた電気機器の斜視図である。
【図１】
2005521057.tif 000003
【図２】
2005521057.tif 000004
【図３】
2005521057.tif 000005
【図５】
2005521057.tif 000006
【図４】
2005521057.tif 000007
【図６】
2005521057.tif 000008
【国際調査報告】
2005521057.tif 000009
2005521057.tif 000010